(57)【特許請求の範囲】
【請求項１】
バーナと、該バーナの燃焼ガス中の顕熱を吸収するメインの給湯熱交換器と、該メインの給湯熱交換器よりも前記燃焼ガスの流れの下流側に配置されて排気潜熱を回収する潜熱回収用給湯熱交換器とが設けられた給湯側回路を有し、浴槽に接続される追い焚き循環路を有して該追い焚き循環路は接続路を介して前記給湯側回路の出湯側に連通されており、前記潜熱回収用給湯熱交換器で発生するドレンを回収するドレン回収手段と、該ドレン回収手段により回収したドレンを貯留するドレン貯留手段と、該ドレン貯留手段により貯留したドレンを前記追い焚き循環路側に導くドレン導出路を有し、前記追い焚き循環路には該追い焚き循環路側に導かれたドレンを該追い焚き循環路から分岐して浴室に排水するドレン排水路が接続されており、前記ドレンを前記ドレン導出路と前記追い焚き循環路と前記ドレン排水路とを介して浴室に排出するドレン排水機能と、前記給湯側回路側から前記接続路を介して前記追い焚き循環路に通される水によって該追い焚き循環路のうちのドレンが通る通水路を洗浄するドレン洗浄機能を有する風呂給湯装置であって、該風呂給湯装置の電源をオンした後には必ず、前記ドレン洗浄機能の動作を行うドレン洗浄制御手段を有することを特徴とする風呂給湯装置。
【請求項２】
バーナと、該バーナの燃焼ガス中の顕熱を吸収するメインの給湯熱交換器と、該メインの給湯熱交換器よりも前記燃焼ガスの流れの下流側に配置されて排気潜熱を回収する潜熱回収用給湯熱交換器とが設けられた給湯側回路を有し、浴槽に接続される追い焚き循環路を有して該追い焚き循環路は接続路を介して前記給湯側回路の出湯側に連通されており、前記潜熱回収用給湯熱交換器で発生するドレンを回収するドレン回収手段と、該ドレン回収手段により回収したドレンを貯留するドレン貯留手段と、該ドレン貯留手段により貯留したドレンを前記追い焚き循環路側に導くドレン導出路を有し、前記追い焚き循環路には該追い焚き循環路側に導かれたドレンを該追い焚き循環路から分岐して浴室に排水するドレン排水路が接続されており、前記ドレンを前記ドレン導出路と前記追い焚き循環路と前記ドレン排水路とを介して浴室に排出するドレン排水機能と、前記給湯側回路側から前記接続路を介して前記追い焚き循環路に通される水によって該追い焚き循環路のうちのドレンが通る通水路を洗浄するドレン洗浄機能を有する風呂給湯装置であって、前記ドレン排水機能または前記ドレン洗浄機能の故障による停止時に出力されたエラー信号が解除された後には前記ドレン排水機能の動作を行うか否かにかかわらず、必ず、前記ドレン洗浄機能の動作を行うドレン洗浄制御手段を有することを特徴とする風呂給湯装置。
【請求項３】
ドレン洗浄制御手段は、請求項１記載の風呂給湯装置の電源をオンした後、または、請求項２記載の、ドレン排水機能またはドレン洗浄機能の故障による停止時に出力されたエラー信号が解除された後に、前記ドレン洗浄機能の動作を直ぐには行わず、追い焚き循環路を通して浴槽湯水を循環させる湯水循環動作と前記追い焚き循環路を通して湯水を浴槽に注水する注水動作の少なくとも一方の追い焚き循環路通水動作が行われる時に前記ドレン洗浄機能の動作を行うことを特徴とする請求項１又は請求項２記載の風呂給湯装置。
【発明の詳細な説明】
【技術分野】
【０００１】
本発明は、潜熱回収型の給湯熱交換器を備えた風呂給湯装置に関するものである。
【背景技術】
【０００２】
従来、浴槽に接続される追い焚き循環路と、給湯熱交換器を備えた給湯側回路とを備えた風呂給湯装置において、給湯側回路に潜熱回収用給湯熱交換器を設けた装置は高い熱効率を達成できるため、広く用いられている。ただし、潜熱回収用給湯熱交換器を設けて風呂給湯装置を形成すると、燃焼ガス中の窒素酸化物（ＮＯｘ）を含む水蒸気等が潜熱回収用熱交換器を通る水によって冷やされて結露し、ドレン（ドレン水）が発生するため、そのドレンを回収して風呂給湯装置の外部に排出する必要がある。そこで、回収されたドレンが所定量貯留されたことを検出手段により検出し、ドレンを配水管側に送水して排水（排出）したり、追い焚き循環路に導いて、追い焚き循環路から浴槽や浴室に排水したりする構成が提案されている（例えば、特許文献１、参照）。
【先行技術文献】
【特許文献】
【０００３】
【特許文献１】特許第３１５３３６１号公報
【発明の概要】
【発明が解決しようとする課題】
【０００４】
ところで、追い焚き循環路は浴槽湯水を循環させる循環路であるため、追い焚き循環路にドレンを導いて排水する構成においては、そのドレンが浴槽湯水に混入してしまうと、ドレンに含まれるホルムアルデヒドが浴槽湯水に入浴する人の体に悪影響を及ぼす可能性があり、ドレンの排水後、追い焚き循環路に水を流してドレンの通水路を洗浄するドレン洗浄機能を設けることが必要となる。
【０００５】
しかしながら、ドレンの洗浄機能を設けても、ドレンの排水中や排水後の追い焚き循環路のドレン通水路洗浄中に、停電などで電源がオフした場合や、故障が生じて風呂給湯装置が作動しなくなってしまった場合には、ドレンが追い焚き循環路に残った状態のままである可能性がある。また、例えば風呂給湯装置の取り付けにあたって、給湯動作等を行って正常な動作が行われることを確認する竣工検査（燃焼試験）を行う際であっても、ドレンの排水中や排水後の追い焚き循環路のドレン通水路洗浄中に通電が止められる場合があり、このような場合にも、ドレンが追い焚き循環路に残った状態のままである可能性がある。そして、このような状態で、追い焚き循環路を通して湯張り等の動作が行われると、浴槽内にドレンが入ってしまい、前記の如く、浴槽湯水に入浴する人の体に悪影響を及ぼすことになってしまう。
【０００６】
本発明は、上記課題を解決するためになされたものであり、その目的は、追い焚き循環路を通してのドレン排水中やドレン洗浄中に停電や故障等が生じたり、装置取り付けにあたっての燃焼試験によって発生したドレンの排水や洗浄が的確に成されなかったりした場合でも、追い焚き循環路にドレンの汚れが付着したままに次回の湯張りが行われて人体に悪影響が及ぶといったことのないようにできる風呂給湯装置を提供することにある。
【課題を解決するための手段】
【０００７】
本発明は上記目的を達成するために、次の構成をもって課題を解決する手段としている。すなわち、第１の発明は、バーナと、該バーナの燃焼ガス中の顕熱を吸収するメインの給湯熱交換器と、該メインの給湯熱交換器よりも前記燃焼ガスの流れの下流側に配置されて排気潜熱を回収する潜熱回収用給湯熱交換器とが設けられた給湯側回路を有し、浴槽に接続される追い焚き循環路を有して該追い焚き循環路は接続路を介して前記給湯側回路の出湯側に連通されており、前記潜熱回収用給湯熱交換器で発生するドレンを回収するドレン回収手段と、該ドレン回収手段により回収したドレンを貯留するドレン貯留手段と、該ドレン貯留手段により貯留したドレンを前記追い焚き循環路側に導くドレン導出路を有し、前記追い焚き循環路には該追い焚き循環路側に導かれたドレンを該追い焚き循環路から分岐して浴室に排水するドレン排水路が接続されており、前記ドレンを前記ドレン導出路と前記追い焚き循環路と前記ドレン排水路とを介して浴室に排出するドレン排水機能と、前記給湯側回路側から前記接続路を介して前記追い焚き循環路に通される水によって該追い焚き循環路のうちのドレンが通る通水路を洗浄するドレン洗浄機能を有する風呂給湯装置であって、該風呂給湯装置の電源をオンした後には必ず、前記ドレン洗浄機能の動作を行うドレン洗浄制御手段を有する構成をもって課題を解決する手段としている。
【０００８】
また、第２の発明は、バーナと、該バーナの燃焼ガス中の顕熱を吸収するメインの給湯熱交換器と、該メインの給湯熱交換器よりも前記燃焼ガスの流れの下流側に配置されて排気潜熱を回収する潜熱回収用給湯熱交換器とが設けられた給湯側回路を有し、浴槽に接続される追い焚き循環路を有して該追い焚き循環路は接続路を介して前記給湯側回路の出湯側に連通されており、前記潜熱回収用給湯熱交換器で発生するドレンを回収するドレン回収手段と、該ドレン回収手段により回収したドレンを貯留するドレン貯留手段と、該ドレン貯留手段により貯留したドレンを前記追い焚き循環路側に導くドレン導出路を有し、前記追い焚き循環路には該追い焚き循環路側に導かれたドレンを該追い焚き循環路から分岐して浴室に排水するドレン排水路が接続されており、前記ドレンを前記ドレン導出路と前記追い焚き循環路と前記ドレン排水路とを介して浴室に排出するドレン排水機能と、前記給湯側回路側から前記接続路を介して前記追い焚き循環路に通される水によって該追い焚き循環路のうちのドレンが通る通水路を洗浄するドレン洗浄機能を有する風呂給湯装置であって、前記ドレン排水機能または前記ドレン洗浄機能の故障による停止時に出力されたエラー信号が解除された後には前記ドレン排水機能の動作を行うか否かにかかわらず、必ず、前記ドレン洗浄機能の動作を行うドレン洗浄制御手段を有する構成をもって課題を解決する手段としている。さらに、第３の発明は前記第１又は第２の発明の構成に加え、前記ドレン洗浄制御手段は、第１の発明の風呂給湯装置の電源をオンした後と、第２の発明の、ドレン排水機能またはドレン洗浄機能の故障による停止時に出力されたエラー信号が解除された後に、前記ドレン洗浄機能の動作を直ぐには行わず、追い焚き循環路を通して浴槽湯水を循環させる湯水循環動作と前記追い焚き循環路を通して湯水を浴槽に注水する注水動作の少なくとも一方の追い焚き循環路通水動作が行われる時に前記ドレン洗浄機能の動作を行うことを特徴とする。
【発明の効果】
【０００９】
本発明は、潜熱回収用給湯熱交換器で発生するドレンを、ドレン導出路と追い焚き循環路とドレン排水路とを介して浴室に排出するドレン排水機能と、該ドレン排水機能によるドレン排水後に、給湯側回路の側から接続路を介して追い焚き循環路に通される水によって該追い焚き循環路のうちのドレンの通水路を洗浄するドレン洗浄機能を有しているが、風呂給湯装置の電源をオンした後と、前記ドレン排水機能または前記ドレン洗浄機能の故障による停止時に出力されたエラー信号が解除された後には必ず、前記ドレン洗浄機能の動作を行う。
【００１０】
したがって、例えばドレン排水機能の動作やドレン洗浄機能の動作の途中で停電や故障が生じた場合でも、洗浄がされない状態のままであることを防ぐことができ、追い焚き循環路にドレンの汚れが付着したままに次回の湯張りが行われてドレンが浴槽湯水に混入し、人体に悪影響が及ぶといったことのないようにできる。また、例えば風呂給湯装置の取り付け時の燃焼試験時に発生するドレンを洗浄できなかった場合にも、同様の効果を奏することができる。
【００１１】
また、風呂給湯装置の電源をオンした後と、ドレン排水機能またはドレン洗浄機能の故障による停止時に出力されたエラー信号が解除された直後ではなく、追い焚き循環路を通して浴槽湯水を循環させる湯水循環動作と前記追い焚き循環路を通して湯水を浴槽に注水する注水動作の少なくとも一方の追い焚き循環路通水動作が行われる時に、ドレン洗浄制御手段が、前記ドレン洗浄機能の動作を行うことにより、風呂給湯装置の電源をオンした直後やエラー信号が解除された直後にドレン洗浄機能の動作が行われて、その音で風呂給湯装置の利用者や故障修理の作業者が驚くといったことを防ぐことができる。
【００１２】
つまり、追い焚き循環路通水動作は、例えば浴槽湯水の追い焚きや、自動湯張り、足し湯、足し水等の動作時に行われるものであり、これらの動作の開始は、例えば風呂給湯装置に信号接続されているリモコン装置を風呂給湯装置の利用者や故障修理の作業者が操作することによって行われるので、その際に、ドレン洗浄機能の動作が行われる音がしても不審に思うことはない。また、前記追い焚き循環路通水動作の前に、ドレン洗浄機能の動作を行えば、たとえこれらの動作前にドレンの排水が的確に行われていなかったりドレンの洗浄が的確に行われずに追い焚き循環路にドレンが付着ていたりしても、そのドレンを洗浄してから、追い焚き循環路通水動作を行うので、追い焚き循環路にドレンの汚れが付着したままに次回の湯張りが行われてドレンが浴槽湯水に混入し、人体に悪影響が及ぶといったことのないようにできる。
【００１３】
さらに、例えば故障修理の際に、追い焚き循環路の配管を外すこと等が行われることもあり、このようなときにドレン洗浄機能の動作が行われると、ドレンやドレン洗浄の水が風呂給湯装置内に飛び散るといった不具合が生じることになるが、追い焚き循環路通水動作が行われるときには、配管が外されていることはなく、その際に、ドレン洗浄機能の動作が行われるようにすると、前記のような不具合が生じることを防ぐことができる。
【図面の簡単な説明】
【００１４】
【図１】本発明に係る風呂給湯装置の一実施例の制御構成を示すブロック図である。
【図２】実施例の風呂給湯装置のシステム構成を模式的に示す説明図である。
【図３】実施例の風呂給湯装置におけるドレン排水機能の動作時の排水経路を説明するためのシステム図である。
【図４】実施例の風呂給湯装置におけるドレン洗浄機能の動作時の通水経路を説明するためのシステム図である。
【図５】実施例の風呂給湯装置における湯張り動作時の通水経路を説明するためのシステム図である。
【図６】実施例の風呂給湯装置における追い焚き動作時の通水経路を説明するためのシステム図である。
【図７】実施例の風呂給湯装置において、ドレン排水動作やドレン洗浄動作に至るまでの動作例を示すフローチャートである。
【図８】実施例の風呂給湯装置のドレン排水動作例を示すフローチャートである。
【図９】実施例の風呂給湯装置のドレン洗浄動作例を示すフローチャートである。
【図１０】実施例の風呂給湯装置のドレン洗浄動作例を図９に続いて示すフローチャートである。
【図１１】実施例の風呂給湯装置のドレン洗浄動作例を図９に続いて示すフローチャートである。
【発明を実施するための形態】
【００１５】
以下、本発明の実施の形態を図面に基づき説明する。
【実施例】
【００１６】
図２には、本発明に係る風呂給湯装置の一実施例のシステム構成が模式的に示されている。同図において、器具ケース６０内には燃焼室２が設けられ、燃焼室２内には給湯側のバーナ１（１ａ，１ｂ，１ｃ）と、浴槽１４内の湯水の追い焚き側のバーナ７が配置されている。これらのバーナ１，７には、それぞれのバーナ１，７に燃料を供給するガス管５５が接続されており、このガス管５５にはバーナ１，７への燃料供給・停止を制御するための開閉弁５１，５２，５３と、バーナ１への供給燃料量を弁開度でもって制御することができる比例弁５４とが介設されている。
【００１７】
また、バーナ１，７の下方側には、これらのバーナ１，７の燃焼の給排気を行う燃焼ファン５が設けられており、燃焼ファン５の回転によって、吸気口（図示せず）を介して外部より吸気する空気をバーナ１，７に送り、この空気と、ガス管５５を通って供給されるガスとによってバーナ燃焼を行う。バーナ燃焼により生じた燃焼ガスは、燃焼室２を通って排気口（図示せず）から排気される。
【００１８】
給湯側のバーナ１の上側には、バーナ１の燃焼ガス中の顕熱を回収するメインの給湯熱交換器（一次給湯熱交換器）４と、このメインの給湯熱交換器４よりも前記燃焼ガスの流れの下流側に設けられて、燃焼ガスの顕熱および潜熱を回収する潜熱回収用給湯熱交換器（二次給湯熱交換器）６とが設けられている。メインの給湯熱交換器４は、複数の板状のフィン３を有して形成されている。
【００１９】
潜熱回収用給湯熱交換器６の入り口側には、給水源から水を導くための給水管８が接続されており、潜熱回収用給湯熱交換器６の出口側にメインの給湯熱交換器４の入り口側が接続されている。また、メインの給湯熱交換器４の出口側には給湯管９が接続されており、メインの給湯熱交換器４と潜熱回収用給湯熱交換器６とを備えた給湯側回路が形成されている。この給湯側回路は、潜熱回収用給湯熱交換器６を通る水を潜熱回収の熱で予備加熱し、その予備加熱した水をメインの給湯熱交換器４の入水口に供給し、該メインの給湯熱交換器４で加熱した湯を送水して給湯路９から給湯先に給湯する給湯機能を有しており、潜熱回収用給湯熱交換器６を設けることによって効率の良い加熱ができる。
【００２０】
なお、給水管８には、該給水管８から供給されて潜熱回収用給湯熱交換器６側へ流れ込む水の流量を検出する流量センサ（フローセンサ）１０と、水量制御弁１１，５６と、潜熱回収用給湯熱交換器６へ流れ込む水の入水温度を検出する入水サーミスタ（図示せず）とが設けられている。また、給湯管９には流れ出る湯の温度を検出することができる出湯サーミスタ（図示せず）が設けられており、給湯管９と給水管８とは、管路１２と水量制御弁１１とを介して接続されている。
【００２１】
また、前記追い焚き側のバーナ７の上側には、浴槽湯水の追い焚きを行う追い焚き熱交換器１３が設けられおり、この追い焚き熱交換器１３は浴槽１４に接続される追い焚き循環路１５に設けられている。なお、この例では、追い焚き熱交換器１３も、バーナ７の燃焼ガスの顕熱を回収するメインの熱交換器１３ａと燃焼ガス中の顕熱および潜熱を回収する潜熱回収用熱交換器１３ｂとを有しており、メインの熱交換器１３ａは複数の板状のフィン３を有して形成されている。
【００２２】
追い焚き循環路１５は、浴槽１４へと続く往管１６（１６ａ，１６ｂ）と、浴槽１４からの戻り管１７と、管路１８，１９，２０，２１を有して形成されている。なお、これらの管路１８，１９，２０，２１および往管１６や戻り管１７の器具ケース６０内側は例えば金属管やゴム管によって形成され、器具ケース６０から外部の浴槽内１４に至る管路は、例えば架橋ポリエチレン管により形成されている。管路２１の一端側は追い焚き熱交換器１３に接続されており、管路２１の他端側は浴槽湯水を循環させる循環ポンプ２３の吐出口側に接続されている。管路２１には、浴槽１４の水位を水圧によって検出する圧力センサの水位センサ２５と、管路２１を水が流れたことを検出したときにオンとなる流水スイッチ２６と、浴槽湯水の温度を検出する風呂温度センサ（図示せず）がそれぞれ設けられている。
【００２３】
循環ポンプ２３の吸込口側には管路２０が接続されており、管路２０の他端側には四方弁により形成された四方切替弁２２が接続されている。この四方切替弁２２には、追い焚き循環路１５の管路１８，１９の一端側と管路２８の一端側も接続されている。管路１８，１９の他端側には戻り管１７が接続されており、管路２８の他端側には、ドレン回路切替弁３０を介し、接続路としての注湯路２７の一端側が接続されている。注湯路２７には注湯電磁弁２９が設けられており、注湯路２７の他端側は前記給湯路９に接続されている。この構成により、前記給湯側回路の出湯側に注湯路２７を介して追い焚き循環路１５が接続されている。
【００２４】
前記潜熱回収用給湯熱交換器６の下側には、該潜熱回収用給湯熱交換器６で発生するドレンを回収するドレン回収手段３１と、該ドレン回収手段３１により回収したドレンを貯留するドレン貯留手段としてのドレンタンク３２とが設けられている。ドレン回収手段３１とドレンタンク３２とはドレン管３３を介して接続されており、ドレンタンク３２には、ドレンタンク３２内に貯留されるドレンの水位を検出するドレン水位検出電極３４が設けられている。なお、ドレンは、燃焼ガス中の窒素酸化物（ＮＯｘ）等を含むため、酸性であるので、ドレンタンク３１には、ドレン排水（ドレン）を中和するための、例えば炭酸カルシウム等のドレン中和手段３５が設けられている。
【００２５】
ドレンタンク３２の下部側には、ドレンタンク３２により貯留したドレンを追い焚き循環路１５側に導くドレン導出路３６が接続され、ドレン導出路３６には逆止弁３７が設けられている。ドレン導出路３６は前記ドレン回路切替弁３０を介して前記管路２８と注湯路２７とに接続されている。また、ドレンタンク３２には管路５９の一端側が接続されており、管路５９の他端側は排水口に接続されている。管路５９は、万が一、ドレンがオーバーフローした際に、そのドレンを排水口に導くための管路である。
【００２６】
前記追い焚き循環路１５の往管１６には、ドレン排水切替ユニット３７が介設されており、ドレン排水切替ユニット３７には、追い焚き循環路１５側に導かれたドレンを該追い焚き循環路１５から分岐して浴室に排水するドレン排水路３８が接続されている。ドレン排水切替ユニット３７内には、ドレン排水路３８と往管１６ａ，１６ｂとの接続部にドレン排水切替弁３９が設けられている。
【００２７】
本実施例の風呂給湯装置において、台所等への給湯機能、浴槽１４への湯張り、足し湯、足し水、浴槽湯水の追い焚き、ドレン排水機能、ドレン洗浄機能等の動作が予め与えられたシーケンスプログラムにしたがって行われるようになっている。図１には、その制御構成が示されており、制御装置４０内に、特徴的なドレン排水洗浄制御手段４１と注湯水・追い焚き制御手段４２とが設けられている。
【００２８】
なお、制御装置４０には、図示されていない給湯機能動作の制御手段が設けられており、まず、この給湯機能動作の制御手段の制御に基づく給湯機能動作例について簡単に説明する。給湯動作は、例えば台所や洗面所等の給湯栓（図示せず）を開くことにより開始されるものであり、図２に示したフローセンサ１０により給水管８を通水する最低作動流量以上の流量を検出すると、給湯機能動作の制御手段が給湯側のバーナ１を燃焼させ、給湯熱交換器４，６（メインの給湯熱交換器４および潜熱回収用給湯熱交換器６）を通る水を加熱して湯を作成し、その湯を給湯管９を通して、図２の矢印に示すように出湯し、給湯先へ供給する。
【００２９】
この給湯機能の動作では、前記給湯機能動作の制御手段は前記入水温度センサにより検出される入水温と、フローセンサ１０により検出される給湯量と、前記給湯温度センサにより検出される給湯温（出湯温）との検出情報に基づき、給湯設定温度となるようにガス管５５から供給されるガス量を比例弁５４の開弁量によって制御する。給湯動作は給湯先の給湯栓が閉止されることによって終了する。つまり、給湯栓の閉止によってフローセンサ１０が通水の停止を検出したときに、制御装置は給湯側のバーナ１へのガス供給を遮断し、給湯側のバーナ１の燃焼を停止する。
【００３０】
注湯水・追い焚き制御手段４２は、自動湯張り機能の動作、足し水機能の動作、追い焚き単独動作の制御を行うものであり、自動湯張り機能の動作は、追い焚き循環路１５を通して予め定められる設定水位までの湯（または設定水量の湯）を浴槽１４に湯張りする湯張り動作に加え、保温動作、保水動作を含む。なお、自動湯張り動作は前記湯張り動作のみとすることもできる。自動湯張り機能の動作は、利用者等がリモコン装置５０の自動スイッチをオンすることにより開始するものであり、図１に示すように、リモコン装置５０から自動スイッチのオン信号が注湯水・追い焚き制御手段４２に加えられて開始される。注湯水・追い焚き制御手段４２は、自動スイッチのオン信号を受けて注湯電磁弁２９を開き、前記給湯機能の動作と同様に、バーナ１の燃焼加熱により給湯熱交換器４，６を通る水を湯として、その湯を給湯管９から注湯路２７に通し、追い焚き循環路１５を通して浴槽１４へ落とし込む。
【００３１】
なお、図５には、この湯張り動作時に湯水が通る領域が斜線部分により示されており、湯水の流れが矢印により示されている。図５に示されるように、湯張り動作時にはドレン回路切替弁３０を介して注湯路２７と管路２８とが接続され、四方切替弁２２を介し、管路２８と管路１８とが接続され、管路１９と管路２０とが接続される態様とし、ドレン排水切替弁３９を介して往管１６ａ，１６ｂ同士が接続される態様とする（以下、この通水経路を追い焚き循環路通水経路ともいう）。
【００３２】
そして、湯張りが開始されると、浴槽１４の水位が水位センサ２５によって検出され、この検出水位が予め設定された浴槽の設定水位に達したときに、注湯水・追い焚き制御手段４２が注湯電磁弁２９を閉じて湯張り動作が終了する。この湯張りの動作においては、注湯水・追い焚き制御手段４２は、予め設定された湯張りの設定温度となるように、バーナ１の燃焼制御を行い、給湯熱交換器４，６の給湯湯温を制御する。
【００３３】
なお、注湯路２７に流量を検出する流量センサ（フローセンサ）を設け、前記流量センサによって検出された流量が設定流量（予め定められる浴槽１４への注湯量）に達したときに、注湯水・追い焚き制御手段４２が注湯電磁弁２９を閉じて湯張り動作が終了するようにしてもよい。また、湯張りの途中に追焚きを入れて浴槽湯水に投入する熱量と浴槽湯温の上昇程度から浴槽湯量を演算するタイプのものにおいて、その演算結果から求められる浴槽湯量と、設定流量（設定湯量）との差を求め、その差分をさらに湯張りして浴槽湯量が設定流量（設定湯量）に達したときに、前記の如く、湯張り作業が終了するようにしてもよい。
【００３４】
また、通常は、湯張り動作に引き続き、所定の時間（例えば４時間）にわたって保温機能の動作が行なわれる。この保温機能の動作中、注湯水・追い焚き制御手段４２は所定の時間間隔で、循環ポンプ２３を短時間起動し、浴槽１４の湯を、図６の矢印に示すように、追い焚き循環路１５を通して循環する（図６の斜線領域、参照）。そして、この際、風呂温度センサ（図示せず）により浴槽１４の湯温（風呂温度）を検出し、該検出温度が風呂の設定温度よりも許容範囲を外れて低下したときには、循環ポンプ２３を駆動して浴槽１４の湯水を追い焚き循環路１５を通して循環しながら、追い焚き側のバーナ７の燃焼により追い焚き熱交換器１３で加熱し、追い焚き動作を行う。そして、前記風呂温度センサの検出温度が風呂の設定温度に達したときに循環ポンプ２３を停止し、追い焚き側のバーナ７の燃焼を停止する。
【００３５】
また、保温機能と共に行う保水機能の動作においては、注湯水・追い焚き制御手段４２は、以下のような制御を行う。つまり、水位センサ２５によって浴槽１４の水位を監視し、浴槽１４の水位が設定水位から許容範囲を越えて低下したときには、注湯電磁弁２９を開けて、前記湯張り動作時と同様に、給湯回路側から設定水位に達する不足分の湯量を補充し（足し湯動作を行い）、浴槽水位を設定水位に維持する保水機能の動作を行う。
【００３６】
また、浴槽湯水の温度を下げる操作が、リモコン装置５０操作によって行われたとき（例えばリモコン装置５０の「ぬるゆ」スイッチが操作されたとき）には、注湯水・追い焚き制御手段４２は、注湯電磁弁２９を開けて、給湯回路側から加熱されていない水を例えば予め定められた設定量だけ浴槽１４に注水する足し水機能の動作を制御する。
【００３７】
さらに、リモコン装置５０に設けられている追い焚きスイッチが手動により操作されたときにも、その指令が注湯水・追い焚き制御手段４２に加えられ、注湯水・追い焚き制御手段４２は、前記自動湯張り動作時の追い焚き動作と同様に制御を行う。この制御によって、追い焚き単独動作が行われる。
【００３８】
ドレン排水洗浄制御手段４１は、ドレンタンク水位検出電極３４の検出信号に基づき、ドレン排水機能の動作とドレン洗浄機能の動作とを行う（つまり、ドレン排水洗浄制御手段４１は、ドレン洗浄制御手段としても機能する）。なお、本実施例において、ドレンタンク水位検出電極３４は、例えば図３に示すように、４本の電極を有して構成されており、４本の電極のうち、図の右側に配置された長さが最も長い２本の電極がアース電極ａと排水停止の基準となる基準水位電極（ＬＬ電極）ｂ、その左側に配置されて長さが２番目に長い電極が低水位電極（Ｌ電極）ｃ、その左側に配置されて長さが最も短い電極が高水位電極（Ｈ電極）ｄである。
【００３９】
ドレン排水洗浄制御手段４１は、ドレンタンク水位検出電極３４の検出信号を受け、ドレンタンク３２内のドレンが予め定められるドレン排水設定水位以上のときに、つまり、少なくとも低水位電極ｃによりドレン水位が検出されているときに、ドレンタンク３２に貯留されたドレンの排水機能の動作を行う。例えば、低水位電極ｃによってドレン水位が検出され、高水位電極ｄで水位を検出されないとき（水位が電極ｃと電極ｄ間にある場合）には、それに加えて、例えば前記自動湯張り動作が開始されたときに、ドレン排水機能の動作を行うようにし、低水位電極ｃおよび高水位電極ｄによってドレン水位が検出されたとき（水位が電極ｃを越え、さらに電極ｄを越える場合）には、即座にドレン排水機能の動作を行うようにする。
【００４０】
図３の斜線部分には、ドレン排水機能の動作時に、ドレンタンク３２から導出されたドレンが通る領域が示されており、その斜線部分の流れを示す矢印によりドレンの流れが示されている。なお、図３において、矢印Ｄは、潜熱回収用給湯熱交換器４で発生したドレンがドレンタンク３２の下側まで達し、ドレン導出路３８に導出されるまでの流れを示す。ドレン排水洗浄制御手段４１は、図３に示すようなドレン排水経路によってドレンタンク３２内のドレンを排水する。このドレン排水機能の動作を行う際、ドレン排水洗浄制御手段４１は、四方切替弁２２、ドレン排水切替弁３９、ドレン回路切替弁３０を、いずれも、図５に示した湯張り運転時の位置から図３に示すドレン排水位置に切り替えることによりドレン排水経路として、ドレンを追い焚き循環路１５を介して浴室に排出する。
【００４１】
具体的には、まず、ドレン排水洗浄制御手段４１は、四方切替弁２２を介して管路２０と管路２８とが接続されるように、四方切替弁２２を切り替える。この切り替えにより、管路１８，１９と戻り管１７とは循環ポンプ２３から切り離される。次に、ドレン排水洗浄制御手段４１はドレン排水切替弁３９を切り替え、ドレン排水切替弁３９を介して往管１６ａとドレン排水路３８とが接続されるようにする。次に、ドレン排水洗浄制御手段４１はドレン回路切替弁３０を切り替え、ドレン回路切替弁３０を介してドレン導出路３６と管路２８とが接続されるようにする。この状態で循環ポンプ２３を駆動し、ドレンを、ドレン導出路３６、管路２８、追い焚き循環路１５の管路２１、追い焚き熱交換器１３、往管１６ａに順に通し、ドレン排水路３８を介して浴室に排出する。そして、ドレンタンク水位検出電極３４の基準水位電極ｂによりドレン水位が検出されなくなったところで、ドレン排水機能の動作を終了（停止）する。
【００４２】
このドレン排水機能によるドレンの排水動作後に、ドレン排水洗浄制御手段４１は、ドレン洗浄機能の動作を行う。このドレン洗浄機能の動作は、図４の斜線部分に示す経路によって行われるものである。なお、図４においては、給湯側回路における湯水の流れを省略して示している。ドレン排水洗浄制御手段４１はドレン回路切替弁３０を切り替え、ドレン回路切替弁３０を介して注湯路２７と管路２８とが接続されるようにして、ドレン洗浄経路とする。その状態で注湯電磁弁２９を開き、給湯側回路側から注湯路２７を介して追い焚き循環路１５に通される水によって追い焚き循環路１５のうちのドレンの通水路を洗浄する。なお、このドレン洗浄に用いる水は、通常は、加熱されていない水とするが、必要に応じて、給湯側回路で（例えば風呂設定温度に）水を加熱し、その加熱された水をドレン洗浄に用いるように加熱した水としてもよい。
【００４３】
以下、この点について詳述する。通常、日常的なドレン排水機能と、それに続くドレン洗浄機能動作は、前記の如く、低水位電極ｃによってドレン水位が検出され、かつ、残水なしで（浴槽の残り湯が無い場合で）自動湯張り動作が開始されたときに行われるので、このときのドレン洗浄機能の動作時には、加熱しない水を用いることで、水を加熱するための熱エネルギーの無駄を省くことができる。また、この場合、自動湯張り動作が開始される前に加熱しない水を用いて洗浄するが、直後に自動湯張り動作が開始されるので、風呂の設定温度で加熱した水で給湯側回路の配管内が満たされる。
【００４４】
その一方で、万が一、低水位電極ｃおよび高水位電極ｄによってドレン水位が検出されたとき（すなわち、異常に給湯使用量が多い場合）や、前回のドレン排水機能のドレン排出動作の終了時から予め定められるドレン排水用設定時間（例えば７２時間）経過したとき、例えば、長期不在時には、ドレン洗浄機能の動作時に風呂の設定温度に加熱した水を用いることにより、給湯側回路の配管内を湯で満たし、万が一、直後にシャワーを浴びても湯が出やすい状況としている。
【００４５】
なお、このように、ドレン洗浄機能の動作時に風呂の設定温度に加熱した水を用い、給湯側回路の配管内を湯で満たすのには、以下の理由がある。すなわち、例えば利用者が給湯温度（給湯設定温度）を６０℃に設定し、その湯を給湯栓から出湯させる場合は、利用者が意図しての出湯使用であるので、配管内が６０℃の湯で満たされていることを利用者が認識可能である。しかし、ドレン排水機能、ドレン洗浄機能動作は利用者が意図しての使用でない（例えばリモコン装置５０の操作ボタンを押したりする操作により、利用者がこれらの動作を行わせたいタイミングで行うものではない）ので、その動作タイミングを利用者が認識不可能である。
【００４６】
したがって、給湯設定温度が６０℃といった高温に設定されていた状態で、ドレン洗浄機能の動作時に給湯設定温度に加熱した水が用いられ、その給湯設定温度の湯で配管内が満たされると、夏場等にリモコン装置５０の運転をオフして冷水シャワーを利用しようとしたとき等に、高温の湯がシャワーから出湯されて危険が伴う場合がある。そこで、前記の如く、加熱した水でドレン洗浄機能の動作を行う場合には、入浴に快適な温度（全身が直接接しても快適な温度であるので、シャワー等肌に直接接しても快適と思われる温度）として設定してある風呂の設定温度に水を加熱してドレン洗浄機能の動作を行い、その風呂設定温度に加熱した湯で給湯側回路の配管内を満たすことで、直後にシャワーを浴びても快適と思われる温度の湯が出やすい状況としている。
【００４７】
また、ドレン排水洗浄制御手段４１は、このときの水量を水量制御弁５６による制御により例えば９リットル／分として、浴槽１４への注湯や注水時の流量（例えば２４リットル／分）よりも小さくし、合計６リットルの水を注水する。このようにすることで、ドレン洗浄時に流れる水の音（排水音）を小さくできる。
【００４８】
また、本実施例において、注水動作時に追い焚き循環路１５に水を通す際には、往管１６と戻り管１７の両側から注水を行うが、追い焚き循環路１５を通してドレン洗浄を行う際には、追い焚き循環路１５のうち往管１６側のみを用いて通水を行い、戻り管１７側には通水を行わない片側通水である。そのため、往管１６と戻り管１７の両方を通して浴槽１４に落とし込む注水動作時と同じ流量の水を往管１６側にのみ通水してドレン洗浄を行うと、その水が通るときの水圧が前記注水動作時よりも高くなる。そして、高い水圧が循環ポンプ２３に加えられると、例えば樹脂製循環ポンプ２３等が水圧に耐えられない等、悪影響が及ぶおそれがあるが、前記のようにドレン洗浄機能の動作時の通水流量を注水動作時の流量よりも小さくすることによって、追い焚き循環路１５を通る水の水圧を小さくでき、循環ポンプ２３に過大な圧力がかかることを防ぐことができる。なお、前記ドレン排水機能の動作時にドレンを排水する流量は循環ポンプ２３により加圧しているので、ドレン洗浄機能の動作時に流す水の流量と同様に小さい。
【００４９】
ドレン排水洗浄制御手段４１は、ドレン洗浄機能の動作終了後に、ドレン排水切替弁３９を切り替え、図５に示したように、ドレン排水切替弁３９を介して往管１６ａ，１６ｂ同士が接続されるようにし、四方切替弁２２を切り替え、四方切替弁２２を介して、管路２８と管路１８とが接続され、管路１９と管路２０とが接続される態様（追い焚き循環路通水経路）とする。
【００５０】
ところで、ドレン排水洗浄制御手段４１による前記ドレン排水機能の動作やドレン洗浄機能の動作の途中で停電（AC100Ｖ通電停止）や故障（AC100Ｖ通電継続）が生じ、風呂給湯装置が作動しなくなってしまうと、ドレンタンク３２にドレンが貯留されたままの状態であったり、その後のドレン洗浄が行われていない状態であったりする。また、風呂給湯装置の取り付けにあたっての燃焼試験時に発生したドレンの排水や洗浄が的確に行われなかった場合（試験後にAC100Ｖ通電停止）、ドレンタンク３２にドレンが貯留されたままの状態であったり、その後のドレン洗浄が行われていない状態であったりする。このことを防ぐために、本実施例では、以下のような特徴的な構成を有している。
【００５１】
つまり、本実施例では、風呂給湯装置の電源コードをコンセントに差し込んだときや停電からの復帰時（ＡＣ１００Ｖ通電停止からの復帰）には、その電源４３のオン信号がドレン排水洗浄制御手段４１に加えられ、また、ドレン排水機能の動作やドレン洗浄機能の動作の途中で故障が生じたときに出力されるエラー信号の解除がリモコン装置５０により行われたときに（ＡＣ１００Ｖ通電継続での復帰で、例えばリモコン装置５０からエラー信号解除信号が出力されたときに）、そのエラー信号解除信号がドレン排水洗浄制御手段４１に加えられる。そして、ドレン排水洗浄制御手段４１は、これら電源４３のオン信号やリモコン装置５０からのエラー信号解除信号が加えられた後に、注湯水・追い焚き制御手段４２によって、追い焚き循環路１５を通して浴槽湯水を循環させる湯水循環動作と、追い焚き循環路１５を通して湯水を浴槽１４に注水する注水動作の少なくとも一方の追い焚き循環路通水動作が行われるときに、その動作開始信号を受けて、その動作開始直前に必ず、前記ドレン洗浄機能の動作を行う。
【００５２】
本実施例では、このように、ドレン洗浄機能の動作を必ず行うことにより、ドレン排水機能の動作中やドレン洗浄機能の動作中に停電や故障が生じたりしても、また、風呂給湯装置の取り付けにあたって行われた燃焼試験時に発生したドレンの排水や洗浄が行われなかったとしても、本願動作にてドレンの洗浄を行うことができるので、その後、湯張り等の追い焚き循環路１５を通して湯水を通水する動作が行われたときに、追い焚き循環路１５内に残ったドレンが浴槽１４内の湯水に混入することを防ぐことができる。
【００５３】
詳述すると、風呂給湯装置の電源コードをコンセントに差し込んだときや停電からの復帰時の電源４３のオン信号がドレン排水洗浄制御手段４１に加えられたとき、すなわち、一度ＡＣ１００Ｖの通電停止を経た後の通電再開時においては、ドレン排水洗浄制御手段４１は、注湯水・追い焚き制御手段４２によって、追い焚き循環路１５を通して浴槽湯水を循環させる湯水循環動作と、追い焚き循環路１５を通して湯水を浴槽１４に注水する注水動作の少なくとも一方の追い焚き循環路通水動作が行われるときに、その動作開始信号を受けて、その動作開始直前には、まず、呼水を兼ねたドレン洗浄動作を必ず行う。なぜならば、例えば風呂給湯装置の取り付けにあたって行われた燃焼試験時に発生したドレンの排水途中で電源を止められ（配管にドレンがあり）、かつ、循環ポンプ２３の呼水を凍結防止のために排水する場合があり（つまり、循環ポンプ２３内に水が無い状態があり）、循環ポンプ２３に水を入れる必要があるからである。
【００５４】
また、その呼水を兼ねたドレン洗浄後に、例えば、低水位電極ｃによってドレン水位が検出され、高水位電極ｄで水位を検出されないとき（ドレンの水位が電極ｃと電極ｄ間にある場合）に、それに加えて、例えば前記自動湯張り動作（追い焚き循環路１５を通して湯水を浴槽１４に注水する注水動作）が開始されたときに、浴槽１４内に残水がある場合には、その動作開始直前にドレン排水機能の動作を行い、それに続き、加熱してない水を用いたドレン洗浄機能の動作を行うようにする。
【００５５】
一方、前記呼水を兼ねたドレン洗浄後に、ドレンの水位が電極ｃと電極ｄ間にあり、それに加えて、前記自動湯張り動作開始時に、浴槽１４内に残水が無い場合や、例えば追い焚き循環路１５を通して浴槽湯水を循環させる湯水循環動作と前記追い焚き循環路を通して湯水を浴槽に注水する注水動作の少なくとも一方の追い焚き循環路通水動作が開始されたときには、ドレン排水機能動作やドレン洗浄機能動作等は行わず、各動作（自動湯張り動作、湯水循環動作、注水動作）を速やかに行うようにする。
【００５６】
さらに、低水位電極ｃおよび高水位電極ｄによってドレン水位が検出されたときには（水位が電極ｃを越え、さらに電極ｄを越える場合には）、即座にドレン排水機能の動作を行うようにするとともに、それに続き、風呂設定温度で加熱した水を用いてのドレン洗浄機能の動作を行うようにする。なお、低水位電極ｃでも高水位電極ｄでも水位を検出されないとき（水位が電極ｃ以下の場合には）には、前記呼水を兼ねたドレン洗浄動作のみとし、その後はなにもしない。
【００５７】
また一方、ドレン排水機能の動作やドレン洗浄機能の動作の途中で故障が生じたときに出力されるエラー信号の解除がリモコン装置５０により行われたとき、すなわち、AC100Ｖ通電継続にてエラー信号の解除等で復帰した場合においては、注湯水・追い焚き制御手段４２によって、追い焚き循環路１５を通して浴槽湯水を循環させる湯水循環動作と、追い焚き循環路１５を通して湯水を浴槽１４に注水する注水動作の少なくとも一方の追い焚き循環路通水動作が行われるときに、その動作開始信号を受けて、その動作開始直前には、状況に応じて以下の動作を行う。
【００５８】
例えば、少なくとも基準水位電極ｂによってドレン水位が検出されている場合（電極ｂのみオンで電極ｃと電極ｄがオフ、電極ｂと電極ｃがオンで電極ｄのみオフ、電極ｂと電極ｃと電極ｄ全てオンの場合）には、ドレン排水機能の動作を行い、それに続いて風呂設定温度で加熱した水を用いたドレン洗浄機能の動作を行うようにする。また、基準水位電極ｂによってドレン水位が検出されない場合には、風呂設定温度で加熱した水を用いたドレン洗浄機能の動作を行うようにする。すなわち、これらのいずれのパターンでもドレン洗浄は必ず行うようにしているが、この場合のドレン洗浄は、前記ＡＣ１００Ｖ通電停止からの復帰時に行われるドレン洗浄動作と異なり、呼水を兼ねたものではない。
【００５９】
そして、ドレン排水洗浄制御手段４１は、これらドレン洗浄機能の動作後やドレン排水機能の動作とドレン洗浄機能の動作後には、前記のように、四方切替弁２２、ドレン排水切替弁３９、ドレン回路切替弁３０を切り替えて、追い焚き循環路通水経路に切り替え、その状態で、注湯水・追い焚き制御手段４２による追い焚き循環路通水動作が行われる。
【００６０】
また、例えば、マンションの施工から引き渡しに至る間や、寒冷地で凍結の可能性がある場合等には、循環ポンプ２３の水抜きをして電源４３をオフにした状態とする場合があり、その後、給湯側回路の使用のみが行われていて追い焚き循環路１５に水を通す動作が全く行われていなかった場合には、前記ドレン排水機能の動作を行う際に循環ポンプ２３を駆動させても、循環ポンプ２３に空気が溜まっていて、ドレンを追い焚き循環路１５側に導くことができない場合がある。そこで、本実施例では、ドレン排水洗浄制御手段４１は、電源４３のオン信号が加えられた後に前記排水機能の動作が入ってもよいように（排水動作に備えて）前記追い焚き循環路通水経路を通し、給湯側回路側から注湯路２７を介して追い焚き循環路１５に水を通す呼水動作を兼ねた洗浄動作によって、循環ポンプ２３内に水を入れてから前記ドレン排水機能の動作を行うようにしている。なお、本実施例における動作例を図７〜図１１のフローチャートにより示す。
【００６１】
なお、本発明は、前記実施例に限定されるものでなく、適宜設定されるものである。例えば、前記実施例では、ドレン排水洗浄制御手段４１は、風呂給湯装置の電源４３をオンした後と、前記ドレン排水機能または前記ドレン洗浄機能の故障による停止時に出力されたエラー信号が解除された後の、注湯水・追い焚き制御手段４２による追い焚き循環路通水動作開始時に、前記ドレン洗浄機能の動作を行うようにしたが、風呂給湯装置の電源４３をオンした直後と、前記ドレン排水機能または前記ドレン洗浄機能の故障による停止時に出力されたエラー信号が解除された直後（リモコン装置５０からエラー信号解除信号が出力されたとき）に、前記ドレン洗浄機能の動作を行うようにしてもよい。
【００６２】
また、ドレン排水洗浄制御手段４１によるドレン排水機能の動作時やドレン洗浄機能の動作時に、その動作中であることを記憶する記憶部を制御装置４０（制御装置の基板）に設け、電源が遮断されても直前の状況を記憶するようにしてもよい。
【００６３】
そして、この記憶部に記憶された情報に基づき、ドレン排水機能の動作の途中で故障が生じて動作が停止してしまったときで、その記憶（ドレン排水機能の動作途中の記憶）があるときには、追い焚き循環路通水動作が開始された時に、その動作開始直前に呼水動作によって、循環ポンプ２３内に水を入れてからドレン排水機能の動作とそれに続いての前記ドレン洗浄機能の動作を行うようにしてもよい。また、ドレン洗浄機能の動作の途中で故障が生じて動作が停止してしまったときで、その記憶（ドレン洗浄機能の動作途中の記憶）があるときには、追い焚き循環路通水動作が開始された時に、その動作開始直前に呼水動作を兼ねた前記ドレン洗浄機能の動作を行うようにしてもよい。
【００６４】
なお、この構成においては、故障修理時に、制御装置４０の基板が交換されたときには前記記憶部の情報に基づいてドレン洗浄機能の動作を行うことができないが、前記実施例においては、風呂給湯装置の電源４３をオンした後にドレン洗浄機能の動作を必ず行うことができる。
【００６５】
さらに、ドレン排水洗浄制御手段４１は、四方切替弁２２とドレン排水切替弁３９とドレン回路切替弁３０の弁切替の位置情報を検知し、この位置情報に基づいて、前記ドレン排水経路となっている状態でリモコン装置５０からエラー信号解除信号が出力されたときには、ドレン洗浄機能の動作を行い、前記ドレン洗浄経路となっている状態でリモコン装置５０からエラー信号解除信号が出力されたときには、ドレン洗浄機能の動作を行うようにしてもよい。
【００６６】
さらに、前記実施例では、ドレン排水洗浄制御手段４１は、風呂給湯装置の電源４３をオンした後と、ドレン排水機能またはドレン洗浄機能の故障による停止時に出力されたエラー信号が解除された後に（その直後または、注湯水・追い焚き制御手段４２による追い焚き循環路通水動作開始時に）、ドレン洗浄機能の動作を行うようにしたが、このとき、注湯電磁弁２９の故障などによってドレン洗浄機能の動作を行うことができなかった場合に、ドレン排水機能の動作のみを行って、例えばドレン洗浄エラー信号をリモコン装置５０に出力するようにしてもよい。
【００６７】
つまり、ドレンが満水になっても排水されないままの状態の場合は、潜熱回収用給湯熱交換器を加熱して給湯を行うことができないが、ドレンの排水ができていればドレン洗浄ができていなくても給湯側回路の利用はできるので、この場合、ドレン排水機能の動作のみは行っておくことで、例えばドレン洗浄機能を回復するための部品（例えば注湯電磁弁等）を調達するまでの間（例えば翌日まで）、利用者が浴槽湯水に入浴することはできなくてもシャワー利用はできるようにすることができ、その上で、リモコン装置５０に出力したドレン洗浄エラー信号に基づいて修理が行われた後に、ドレン洗浄を行うようにすればよい。
【００６８】
さらに、ドレン排水機能のドレン排出動作時に、追い焚き循環路１５に通されるドレンを追い焚き熱交換器１３によって例えば６０℃以上に加熱して熱殺菌を行いながらドレンを排水するようにしてもよい。また、通常、ドレン排水路３８の出口側（浴室の排水口側）には、排水トラップが設けられるが、この排水トラップ内に、ドレン洗浄機能の動作時に流れ込んだ水が溜まったままであると、細菌が繁殖する可能性がある。そこで、ドレン排水洗浄制御手段４１は、ドレン洗浄機能の動作を行った後に、さらに、予め定められる設定水量の水を追い焚き循環路１５のうちのドレンの通水路に通す追加通水を行うことによって、前記ドレン洗浄機能の動作時に前記排水トラップ内に流れこんだ水を前記追加通水の水で入れ替える構成としてもよい。
【００６９】
なお、例えば、ドレン洗浄を行う配管（往管１６側のみ）は、例えば架橋ポリエチレン管１０Ａ（内径９．８ｍｍ）を用いて形成され、その長さは例えば最長２５ｍなので、その容量は１．８８＋α（０．４９×０．４９×π×２５００÷１０００＝１．８８であり、αは器具内水管の容量等）リットルである。そこで、追い焚き循環路１５のうちのドレンの通水路の洗浄ということのみを考えると、１．８８＋αリットルの水の注水を行えば十分であるが、以下の理由により、往管１６側の容量（１．８８＋αリットル）よりも４リットル程多い６リットルの注水を行うようにしている。
【００７０】
つまり、ドレンタンク３２内で雑菌が繁殖する可能性があるので、ドレン排水路３８（例えば架橋ポリエチレン管７Ａ（内径７mm）最長２．５ｍの管路であり、その容量は例えば０．１リットル）の置換（洗浄）を行い、また、排水先である浴室の排水トラップの容量は例えば０．５リットル（例えば逆ワン排水トラップ本体喫水面部内径１１３ｍｍ下端内径１０７ｍｍ平均内径１１０ｍｍ、排水トラップ中の配水管外径５５ｍｍ、封水深（配水管上端からワンの下端）５０ｍｍ、ワンの下端から排水トラップ下端間距離２０ｍｍの場合の内容量は｛π（１１０／２）２−π（１１０／２）２｝×（５０＋２０）＝約０．５リットル）であるので、この排水トラップ内の通水によるほぼ全換水（例えばトラップ容量の８倍の４リットル通水で例えば換水率約９９．９％以上となる）までできるように、合計６リットルの水を注水する。なお、排水トラップには上記逆ワン排水トラップ以外にも合流トラップ等が知られているが、内部の容量自体にあまり差異がない。従って、トラップ形式が変わっても、前記流量で浴室にあるトラップ内の換水はできるものと考えられる。
【００７１】
さらに、前記４リットルの通水は次のような役目をも合わせもつ。すなわち、前記１．８８＋αリットルの水の注水のみで置換は十分であるが、例えば取り付けにあたって給湯動作等を行って正常な動作が行われることを確認する竣工検査から、入居後のドレン洗浄までに期間を要する場合がある。このような場合には、置換のみでは洗浄できないこびり付きが生じる場合がある。特に本願潜熱回収用給湯熱交換器６は排気出口に近いがゆえに、排気出口より、周囲のホコリ、土埃、粉塵等が入ってくることがあり、このような入り込みがあると、こびり付きはいっそう強くなる。４リットル通水の役目は、前記ホルムアルデヒドを含むこびり付き解消に十分な量として設定されている。
【００７２】
さらに、風呂給湯装置の電源コードをコンセントに差し込んだときや停電からの復帰時の電源４３のオン信号がドレン排水洗浄制御手段４１に加えられた時に、速やかにドレン排水洗浄制御手段４１は切替弁等を制御してドレン洗浄経路を形成し、注湯水・追い焚き制御手段４２による追い焚き循環路通水動作開始時までドレン洗浄経路形成状態で待機するようにしてもよい。このようにすると、ドレンが浴槽１４に出てしまう可能性をなくせるし、速やかに追い焚き循環路通水動作に先立つ呼水動作を行うことができる。
【００７３】
さらに、追い焚き循環路１５の凍結を防止するために、外気温度を検出するセンサまたは追い焚き循環路１５の任意の器具内位置に設けられた水温検出センサが管路凍結の恐れのある温度まで下がると、循環ポンプ２３を駆動させて浴槽１４内の湯水を間欠循環させる機能を設ける場合がある。この機能は、浴槽１４内の湯水の確認のため循環ポンプ２３を駆動させ、流水スイッチ２６が追い焚き循環路１５を水が流れたことを検出してオンした場合には、以降、浴槽湯水を間欠循環させ、流水スイッチ２６がオンしない場合には、追い焚き循環路１５内に凍結する湯水がないものとして、以降、循環ポンプ２３の駆動を行わない機能である。このような凍結防止機能が、風呂給湯装置の電源コードをコンセントに差し込んだ後や停電からの復帰後に動作する場合がある。すなわち、前記追い焚き循環路通水動作は、リモコン装置５０を風呂給湯装置の利用者や故障修理の作業者が意識的に操作することによって行われる動作であるのに対し、前記凍結防止機能は、同じ追い焚き循環路通水動作でありながら、意識的に操作することによって行われる動作ではない。
【００７４】
そこで、意識的に操作することによって行われる前記追い焚き循環路通水動作が行われるまで、または通電開始後例えば６０分というタイマー時間が経過するまでは、凍結防止運転を禁止してもよい。このようにすることで、外気温が低く、凍結防止機能の開始条件を満足していても、凍結防止運転を禁止する通電開始後の時間を計測するタイマーを持つことで、故障修理の作業者が修理終了までの時間を取ることができる。
【００７５】
さらに、風呂給湯装置のシステム構成の詳細は、特に限定されるものでなく、例えば保温機能や保水機能、ぬる湯機能、追い焚き機能は備えていない装置としてもよいし、暖房機能や、太陽熱の集熱機能等の他の機能を備えていてもよい。
【００７６】
さらに、本発明の風呂給湯装置は、例えば前記実施例で設けたガス燃焼を行うバーナの代わりに、石油燃焼用のバーナを設けてもよい。
【産業上の利用可能性】
【００７７】
本発明の風呂給湯装置は、追い焚き循環路を通してドレンを排水した後の洗浄が行われていないままの状態であることを防ぐことができるので、例えば家庭用の風呂給湯装置として利用できる。
【符号の説明】
【００７８】
１                      バーナ
６                      潜熱回収用給湯熱交換器
１５                    追い焚き循環路
１６，１６ａ，１６ｂ    往管
１７                    戻り管
１８，１９，２０，２１  管路
２２                    四方切替弁
２３                    循環ポンプ
２７                    注湯路
２８                    管路
２９                    注湯電磁弁
３０                    ドレン回路切替弁
３４                    ドレンタンク水位検出電極
３９                    ドレン排水切替弁
４０                    制御装置
４１                    ドレン排水洗浄制御手段
４２                    注湯水・追い焚き制御手段
４３                    電源
４４                    四方切替弁
５０                    リモコン装置
【図１】
0005657325.tif 000002
【図２】
0005657325.tif 000003
【図３】
0005657325.tif 000004
【図４】
0005657325.tif 000005
【図５】
0005657325.tif 000006
【図６】
0005657325.tif 000007
【図７】
0005657325.tif 000008
【図８】
0005657325.tif 000009
【図９】
0005657325.tif 000010
【図１０】
0005657325.tif 000011
【図１１】
0005657325.tif 000012